【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行することと、
前記第１の無認可キャリアに対する前記タイムスロットのセット中の前記ＥＣＣＡカウントダウンの１つまたは複数の潜在的最終タイムスロットから潜在的最終タイムスロットを決定することと、
前記潜在的最終タイムスロットの前記決定に応答して、前記潜在的最終タイムスロット中に前記第２の無認可キャリアに対してクリアチャネルアセスメント（ＣＣＡ）検査を実行することと
を備える、ワイヤレス通信の方法。
【請求項２】
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
をさらに備える、請求項１に記載の方法。
【請求項３】
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
請求項２に記載の方法。
【請求項４】
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
をさらに備える、請求項２に記載の方法。
【請求項５】
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
をさらに備える、請求項２に記載の方法。
【請求項６】
前記少なくとも２つの無認可キャリアのうちの１つまたは複数を介して前記データを送信するためのスケジュールを、基地局から受信することをさらに備える、
請求項１に記載の方法。
【請求項７】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項６に記載の方法。
【請求項８】
前記スケジュールは、物理アップリンク制御チャネル（ＰＵＣＣＨ）を送信することに関係する情報を備える、
請求項６に記載の方法。
【請求項９】
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対するタイムスロットのセット中に拡張クリアチャネルアセスメント（ＥＣＣＡ）カウントダウンを実行することと、
前記第２の無認可キャリアに対する前記タイムスロットのセット中の前記ＥＣＣＡカウントダウンの１つまたは複数の潜在的最終タイムスロットから潜在的最終タイムスロットを決定することと、
前記潜在的最終タイムスロットの前記決定に応答して、前記潜在的最終タイムスロット中に前記第１の無認可キャリアに対してクリアチャネルアセスメント（ＣＣＡ）検査を実行することと
を備える、ワイヤレス通信の方法。
【請求項１０】
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであることをさらに備える、
請求項９に記載の方法。
【請求項１１】
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
をさらに備える、請求項１０に記載の方法。
【請求項１２】
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信すること
をさらに備える、請求項１１に記載の方法。
【請求項１３】
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
をさらに備える、請求項１１に記載の方法。
【請求項１４】
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
をさらに備える、請求項１１に記載の方法。
【請求項１５】
前記ＣＣＡ検査を前記実行することは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を備える、請求項９に記載の方法。
【請求項１６】
前記ＣＣＡ検査を前記実行することは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルは、前記第２の潜在的カウントダウン値を前記第１の潜在的カウントダウン値と前記第２の潜在的カウントダウン値との和で割った値に等しい、と
を備える、請求項９に記載の方法。
【請求項１７】
前記少なくとも２つの無認可キャリアのうちの１つまたは複数を介して送信するためのスケジュールを、基地局から受信することをさらに備える、
請求項９に記載の方法。
【請求項１８】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項１７に記載の方法。
【請求項１９】
前記スケジュールは、物理アップリンク制御チャネル（ＰＵＣＣＨ）を送信することに関係する情報を備える、
請求項１７に記載の方法。
【請求項２０】
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行することと、
前記第２の無認可キャリアのしきい値タイムスロットを過ぎて前記第１の無認可キャリアに対する前記タイムスロットのセット中の前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を備える、ワイヤレス通信の方法。
【請求項２１】
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
をさらに備える、請求項２０に記載の方法。
【請求項２２】
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアと前記第２の無認可キャリアとに対するタイムスロットのセット中に拡張クリアチャネルアセスメント（ＥＣＣＡ）カウントダウンを実行することと、
前記ＥＣＣＡカウントダウンの後に、前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を備える、ワイヤレス通信の方法。
【請求項２３】
少なくとも２つの無認可キャリアを介した送信のためのデータを受信するための手段、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行するための手段と、
前記第１の無認可キャリアに対する前記タイムスロットのセット中の前記ＥＣＣＡカウントダウンの１つまたは複数の潜在的最終タイムスロットから潜在的最終タイムスロットを決定するための手段と、
前記潜在的最終タイムスロットの前記決定に応答して、前記潜在的最終タイムスロット中に前記第２の無認可キャリアに対してクリアチャネルアセスメント（ＣＣＡ）検査を実行するための手段と
を備える、ワイヤレス通信のための装置。
【請求項２４】
前記第１の無認可キャリアの前記ＥＣＣＡカウントダウンが前記潜在的最終タイムスロット中にクリアであるかどうかを決定するための手段と、
前記第２の無認可キャリアの前記ＣＣＡ検査が前記潜在的最終タイムスロット中にクリアであるかどうかを決定するための手段と
をさらに備える、請求項２３に記載の装置。
【請求項２５】
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信するための手段をさらに備える、
請求項２４に記載の装置。
【請求項２６】
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入るための手段と、
前記第１の無認可キャリアの前記ＥＣＣＡカウントダウンがクリアになるとき、前記第１の無認可キャリアまたは前記第２の無認可キャリアのうちの１つまたは複数上で前記データを送信するための手段と
をさらに備える、請求項２４に記載の装置。
【請求項２７】
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであるための手段と、
前記第２の無認可キャリアの前記ＣＣＡ検査がクリアになるとき、前記第１の無認可キャリアまたは前記第２の無認可キャリアのうちの１つまたは複数上で前記データを送信するための手段と
をさらに備える、請求項２４に記載の装置。
【請求項２８】
前記少なくとも２つの無認可キャリアのうちの１つまたは複数を介して前記データを送信するためのスケジュールを、基地局から受信するための手段をさらに備える、
請求項２３に記載の装置。
【請求項２９】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項２８に記載の装置。
【請求項３０】
前記スケジュールは、物理アップリンク制御チャネル（ＰＵＣＣＨ）を送信することに関係する情報を備える、
請求項２８に記載の装置。
【請求項３１】
少なくとも２つの無認可キャリアを介した送信のためのデータを受信するための手段、前記少なくとも２つの無認可キャリアは、第１の無認可キャリアと第２の無認可キャリアとを含む、と、
前記少なくとも２つの無認可キャリアの各々に対するタイムスロットのセット中に拡張クリアチャネルアセスメント（ＥＣＣＡ）カウントダウンを実行するための手段と、
前記第２の無認可キャリアに対する前記タイムスロットのセット中の前記ＥＣＣＡカウントダウンの１つまたは複数の潜在的最終タイムスロットから潜在的最終タイムスロットを決定するための手段と、
前記潜在的最終タイムスロットの前記決定に応答して、前記潜在的最終タイムスロット中に前記第１の無認可キャリアに対してクリアチャネルアセスメント（ＣＣＡ）検査を実行するための手段と
を備える、ワイヤレス通信のための装置。
【請求項３２】
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるための手段をさらに備える、
請求項３１に記載の装置。
【請求項３３】
前記第１の無認可キャリアに対する前記ＣＣＡ検査が前記潜在的最終タイムスロット中にクリアであるかどうかを決定するための手段と、
前記第２の無認可キャリアに対する前記ＥＣＣＡカウントダウンが前記潜在的最終タイムスロット中にクリアであるかどうかを決定するための手段と
をさらに備える、請求項３１に記載の装置。
【請求項３４】
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
請求項３３に記載の装置。
【請求項３５】
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入るための手段と、
前記ＣＣＡ検査が前記第１の無認可キャリアをクリアするとき、前記第１の無認可キャリアまたは前記第２の無認可キャリアのうちの１つまたは複数上で前記データを送信するための手段と
をさらに備える、請求項３３に記載の装置。
【請求項３６】
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであるための手段と、
前記第２の無認可キャリアに対する前記ＥＣＣＡカウントダウンがクリアになるとき、前記第１の無認可キャリアまたは前記第２の無認可キャリアのうちの１つまたは複数上で前記データを送信するための手段と
をさらに備える、請求項３３に記載の装置。
【請求項３７】
前記ＣＣＡ検査を前記実行するための手段は、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定するための手段と、
タイムスロットの前記潜在的な数がしきい値よりも大きいとき、前記第１の無認可キャリアに対して前記ＣＣＡ検査を実行するための手段と
を備える、請求項３１に記載の装置。
【請求項３８】
前記ＣＣＡ検査を前記実行するための手段は、
前記第１の無認可キャリアの前記ＥＣＣＡカウントダウンを実行するための第１の潜在的カウントダウン値を決定するための手段と、
前記第１の無認可キャリアの前記ＥＣＣＡカウントダウンの終了と前記第２の無認可キャリアの前記ＥＣＣＡカウントダウンの終了との間の第２の潜在的カウントダウン値を決定するための手段と、
デューティサイクルがしきい値よりも大きいときに前記第１の無認可キャリアに対して前記ＣＣＡ検査を実行するための手段、ここにおいて、前記デューティサイクルは、前記第２の潜在的カウントダウン値を前記第１の潜在的カウントダウン値と前記第２の潜在的カウントダウン値との和で割った値に等しい、と
を備える、請求項３１に記載の装置。
【請求項３９】
前記少なくとも２つの無認可キャリアのうちの１つまたは複数を介して送信するためのスケジュールを、基地局から受信するための手段をさらに備える、
請求項３１に記載の装置。
【請求項４０】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項３９に記載の装置。
【請求項４１】
前記スケジュールは、物理アップリンク制御チャネル（ＰＵＣＣＨ）を送信することに関係する情報を備える、
請求項３９に記載の装置。
【請求項４２】
少なくとも２つの無認可キャリアを介した送信のためのデータを受信するための手段、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行するための手段と、
前記第２の無認可キャリアのしきい値タイムスロットを過ぎて前記第１の無認可キャリアに対する前記タイムスロットのセット中の前記ＥＣＣＡカウントダウンの潜在的最終タイムスロットが生じるかどうかを決定するための手段と、
前記決定に基づいて前記第２の無認可キャリアに対してクリアチャネルアセスメント（ＣＣＡ）検査を実行すべきかどうかを決めるための手段と
を備える、ワイヤレス通信のための装置。
【請求項４３】
前記潜在的最終タイムスロット中に、前記第１の無認可キャリアに対してＣＣＡ検査を実行し、前記第２の無認可キャリアに対して前記ＣＣＡ検査を実行するための手段と、
前記第１の無認可キャリアの前記ＣＣＡ検査がクリアになる場合、前記第１の無認可キャリアまたは前記第２の無認可キャリアのうちの１つまたは複数上で前記データを送信するための手段と
をさらに備える、請求項４２に記載の装置。
【請求項４４】
少なくとも２つの無認可キャリアを介した送信のためのデータを受信するための手段、前記少なくとも２つの無認可キャリアは、第１の無認可キャリアと第２の無認可キャリアとを含む、と、
前記第１の無認可キャリアと前記第２の無認可キャリアとに対するタイムスロットのセット中に拡張クリアチャネルアセスメント（ＥＣＣＡ）カウントダウンを実行するための手段と、
前記ＥＣＣＡカウントダウンの後に、前記第１の無認可キャリアまたは前記第２の無認可キャリアのうちの１つまたは複数上で遅延状態に入るための手段と、
前記遅延状態の終了時に前記第１の無認可キャリアまたは前記第２の無認可キャリアのうちの前記１つまたは複数に対して初期クリアチャネルアセスメント（ＩＣＣＡ）を実行するための手段と、
前記ＩＣＣＡがクリアになる場合、前記第１の無認可キャリアまたは前記第２の無認可キャリアのうちの前記１つまたは複数上で前記データを送信するための手段と
を備える、ワイヤレス通信のための装置。
【請求項４５】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行することと、
前記第１の無認可キャリアに対する前記タイムスロットのセット中の前記ＥＣＣＡカウントダウンの１つまたは複数の潜在的最終タイムスロットから潜在的最終タイムスロットを決定することと、
前記潜在的最終タイムスロットの前記決定に応答して、前記潜在的最終タイムスロット中に前記第２の無認可キャリアに対してクリアチャネルアセスメント（ＣＣＡ）検査を実行することと
を行うように構成された、ワイヤレス通信のための装置。
【請求項４６】
前記少なくとも１つのプロセッサは、
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うようにさらに構成された、請求項４５に記載の装置。
【請求項４７】
前記少なくとも１つのプロセッサは、
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
請求項４６に記載の装置。
【請求項４８】
前記少なくとも１つのプロセッサは、
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うようにさらに構成された、請求項４６に記載の装置。
【請求項４９】
前記少なくとも１つのプロセッサは、
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うようにさらに構成された、請求項４６に記載の装置。
【請求項５０】
前記少なくとも１つのプロセッサは、前記少なくとも２つの無認可キャリアのうちの１つまたは複数を介して前記データを送信するためのスケジュールを、基地局から受信するようにさらに構成された、
請求項４５に記載の装置。
【請求項５１】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項５０に記載の装置。
【請求項５２】
前記スケジュールは、物理アップリンク制御チャネル（ＰＵＣＣＨ）を送信することに関係する情報を備える、
請求項５０に記載の装置。
【請求項５３】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対するタイムスロットのセット中に拡張クリアチャネルアセスメント（ＥＣＣＡ）カウントダウンを実行することと、
前記第２の無認可キャリアに対する前記タイムスロットのセット中の前記ＥＣＣＡカウントダウンの１つまたは複数の潜在的最終タイムスロットから潜在的最終タイムスロットを決定することと、
前記潜在的最終タイムスロットの前記決定に応答して、前記潜在的最終タイムスロット中に前記第１の無認可キャリアに対してクリアチャネルアセスメント（ＣＣＡ）検査を実行することと
を行うように構成された、ワイヤレス通信のための装置。
【請求項５４】
前記少なくとも１つのプロセッサは、前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるようにさらに構成された、
請求項５３に記載の装置。
【請求項５５】
前記少なくとも１つのプロセッサは、
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うようにさらに構成された、請求項５４に記載の装置。
【請求項５６】
前記少なくとも１つのプロセッサは、
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
請求項５５に記載の装置。
【請求項５７】
前記少なくとも１つのプロセッサは、
前記ＣＣＡ検査がクリアになるまで、前記第２の無認可キャリア上でフリーズ状態に入ることと、
前記第１の無認可キャリアの前記ＣＣＡ検査が前記潜在的最終タイムスロット中にクリアでないとき、前記ＣＣＡ検査が前記第１の無認可キャリアをクリアするとき、前記第１の無認可キャリアまたは前記第２の無認可キャリアのうちの１つまたは複数上で前記データを送信することと
を行うようにさらに構成された、請求項５５に記載の装置。
【請求項５８】
前記少なくとも１つのプロセッサは、
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うようにさらに構成された、請求項５５に記載の装置。
【請求項５９】
前記少なくとも１つのプロセッサは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
によって前記ＣＣＡ検査を実行するようにさらに構成された、請求項５３に記載の装置。
【請求項６０】
前記少なくとも１つのプロセッサは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルは、前記第２の潜在的カウントダウン値を前記第１の潜在的カウントダウン値と前記第２の潜在的カウントダウン値との和で割った値に等しい、と
によって前記ＣＣＡ検査を実行するようにさらに構成された、請求項５３に記載の装置。
【請求項６１】
前記少なくとも１つのプロセッサは、前記少なくとも２つの無認可キャリアのうちの１つまたは複数を介して送信するためのスケジュールを、基地局から受信するようにさらに構成された、
請求項５３に記載の装置。
【請求項６２】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項６１に記載の装置。
【請求項６３】
前記スケジュールは、物理アップリンク制御チャネル（ＰＵＣＣＨ）を送信することに関係する情報を備える、
請求項６１に記載の装置。
【請求項６４】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行することと、
前記第２の無認可キャリアのしきい値タイムスロットを過ぎて前記第１の無認可キャリアに対する前記タイムスロットのセット中の前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うように構成された、ワイヤレス通信のための装置。
【請求項６５】
前記少なくとも１つのプロセッサは、
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うようにさらに構成された、請求項６４に記載の装置。
【請求項６６】
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアと前記第２の無認可キャリアとに対するタイムスロットのセット中に拡張クリアチャネルアセスメント（ＥＣＣＡ）カウントダウンを実行することと、
前記ＥＣＣＡカウントダウンの後に、前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うように構成された、ワイヤレス通信のための装置。
【請求項６７】
ワイヤレス通信のためのコンピュータ実行可能コードを記憶する非一時的なコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行することと、
前記第１の無認可キャリアに対する前記タイムスロットのセット中の前記ＥＣＣＡカウントダウンの１つまたは複数の潜在的最終タイムスロットから潜在的最終タイムスロットを決定することと、
前記潜在的最終タイムスロットの前記決定に応答して、前記潜在的最終タイムスロット中に前記第２の無認可キャリアに対してクリアチャネルアセスメント（ＣＣＡ）検査を実行することと
を行うためのコードを備える、非一時的なコンピュータ可読媒体。
【請求項６８】
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うためのコードをさらに備える、請求項６７に記載の非一時的なコンピュータ可読媒体。
【請求項６９】
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信すること
を行うためのコードをさらに備える、請求項６８に記載の非一時的なコンピュータ可読媒体。
【請求項７０】
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うためのコードをさらに備える、請求項６８に記載の非一時的なコンピュータ可読媒体。
【請求項７１】
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うためのコードをさらに備える、請求項６８に記載の非一時的なコンピュータ可読媒体。
【請求項７２】
前記少なくとも２つの無認可キャリアのうちの１つまたは複数を介して前記データを送信するためのスケジュールを、基地局から受信するためのコードをさらに備える、
請求項６７に記載の非一時的なコンピュータ可読媒体。
【請求項７３】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、請求項７２に記載の非一時的なコンピュータ可読媒体。
【請求項７４】
前記スケジュールは、物理アップリンク制御チャネル（ＰＵＣＣＨ）を送信することに関係する情報を備える、
請求項７２に記載の非一時的なコンピュータ可読媒体。
【請求項７５】
ワイヤレス通信のためのコンピュータ実行可能コードを記憶する非一時的なコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対するタイムスロットのセット中に拡張クリアチャネルアセスメント（ＥＣＣＡ）カウントダウンを実行することと、
前記第２の無認可キャリアに対する前記タイムスロットのセット中の前記ＥＣＣＡカウントダウンの１つまたは複数の潜在的最終タイムスロットから潜在的最終タイムスロットを決定することと、
前記潜在的最終タイムスロットの前記決定に応答して、前記潜在的最終タイムスロット中に前記第１の無認可キャリアに対してクリアチャネルアセスメント（ＣＣＡ）検査を実行することと
を行うためのコードを備える、非一時的なコンピュータ可読媒体。
【請求項７６】
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるためのコードをさらに備える、
請求項７５に記載の非一時的なコンピュータ可読媒体。
【請求項７７】
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うためのコードをさらに備える、請求項７６に記載の非一時的なコンピュータ可読媒体。
【請求項７８】
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うためのコードをさらに備える、
請求項７７に記載の非一時的なコンピュータ可読媒体。
【請求項７９】
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
を行うためのコードをさらに備える、請求項７７に記載の非一時的なコンピュータ可読媒体。
【請求項８０】
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うためのコードをさらに備える、請求項７７に記載の非一時的なコンピュータ可読媒体。
【請求項８１】
前記ＣＣＡ検査を実行するための前記コードは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を行うためのコードをさらに備える、請求項７５に記載の非一時的なコンピュータ可読媒体。
【請求項８２】
前記ＣＣＡ検査を実行するための前記コードは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルは、前記第２の潜在的カウントダウン値を前記第１の潜在的カウントダウン値と前記第２の潜在的カウントダウン値との和で割った値に等しい、と
を行うためのコードをさらに備える、請求項７５に記載の非一時的なコンピュータ可読媒体。
【請求項８３】
前記少なくとも２つの無認可キャリアのうちの１つまたは複数を介して送信するためのスケジュールを、基地局から受信するためのコードをさらに備える、
請求項７５に記載の非一時的なコンピュータ可読媒体。
【請求項８４】
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、請求項８３に記載の非一時的なコンピュータ可読媒体。
【請求項８５】
前記スケジュールは、物理アップリンク制御チャネル（ＰＵＣＣＨ）を送信することに関係する情報を備える、
請求項８３に記載の非一時的なコンピュータ可読媒体。
【請求項８６】
ワイヤレス通信のためのコンピュータ実行可能コードを記憶する非一時的なコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対するタイムスロットのセット中に拡張クリアチャネルアセスメント（ＥＣＣＡ）カウントダウンを実行することと、
前記第２の無認可キャリアのしきい値タイムスロットを過ぎて前記第１の無認可キャリアに対する前記タイムスロットのセット中の前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うためのコードを備える、非一時的なコンピュータ可読媒体。
【請求項８７】
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うためのコードをさらに備える、請求項８６に記載の非一時的なコンピュータ可読媒体。
【請求項８８】
ワイヤレス通信のためのコンピュータ実行可能コードを記憶する非一時的なコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアと前記第２の無認可キャリアとに対するタイムスロットのセット中に拡張クリアチャネルアセスメント（ＥＣＣＡ）カウントダウンを実行することと、
前記ＥＣＣＡカウントダウンの後に、前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うためのコードを備える、非一時的なコンピュータ可読媒体。
【手続補正２】
【補正対象書類名】明細書
【補正対象項目名】０１５４
【補正方法】変更
【補正の内容】
【０１５４】
[00174]本開示についての以上の説明は、いかなる当業者も本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を備える、ワイヤレス通信の方法。
［Ｃ２］
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
をさらに備える、Ｃ１に記載の方法。
［Ｃ３］
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
Ｃ２に記載の方法。
［Ｃ４］
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
をさらに備える、Ｃ２に記載の方法。
［Ｃ５］
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
をさらに備える、Ｃ２に記載の方法。
［Ｃ６］
前記少なくとも２つの無認可キャリアのうちの１つまたは複数を介して前記データを送信するためのスケジュールを、基地局から受信することをさらに備える、
Ｃ１に記載の方法。
［Ｃ７］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ６に記載の方法。
［Ｃ８］
前記スケジュールは、物理アップリンク制御チャネル（ＰＵＣＣＨ）を送信することに関係する情報を備える、
Ｃ６に記載の方法。
［Ｃ９］
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を備える、ワイヤレス通信の方法。
［Ｃ１０］
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであることをさらに備える、
Ｃ９に記載の方法。
［Ｃ１１］
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
をさらに備える、Ｃ１０に記載の方法。
［Ｃ１２］
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信すること
をさらに備える、Ｃ１１に記載の方法。
［Ｃ１３］
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
をさらに備える、Ｃ１１に記載の方法。
［Ｃ１４］
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
をさらに備える、Ｃ１１に記載の方法。
［Ｃ１５］
前記ＣＣＡ検査を前記実行することは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を備える、Ｃ９に記載の方法。
［Ｃ１６］
前記ＣＣＡ検査を前記実行することは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルは、前記第２の潜在的カウントダウン値を前記第１の潜在的カウントダウン値と前記第２の潜在的カウントダウン値との和で割った値に等しい、と
を備える、Ｃ９に記載の方法。
［Ｃ１７］
前記少なくとも２つの無認可キャリアのうちの１つまたは複数を介して送信するためのスケジュールを、基地局から受信することをさらに備える、
Ｃ９に記載の方法。
［Ｃ１８］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ１７に記載の方法。
［Ｃ１９］
前記スケジュールは、物理アップリンク制御チャネル（ＰＵＣＣＨ）を送信することに関係する情報を備える、
Ｃ１７に記載の方法。
［Ｃ２０］
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を備える、ワイヤレス通信の方法。
［Ｃ２１］
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
をさらに備える、Ｃ２０に記載の方法。
［Ｃ２２］
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を備える、ワイヤレス通信の方法。
［Ｃ２３］
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行するための手段と、
前記第１の無認可キャリアに対する前記ＥＣＣＡカウントダウンの１つまたは複数の潜在的最終タイムスロットから潜在的最終タイムスロットを決定するための手段と、
前記潜在的最終タイムスロット中に前記第２の無認可キャリアに対してクリアチャネルアセスメント（ＣＣＡ）検査を実行するための手段と
を備える、ワイヤレス通信のための装置。
［Ｃ２４］
前記第１の無認可キャリアの前記ＥＣＣＡカウントダウンが前記潜在的最終タイムスロット中にクリアであるかどうかを決定するための手段と、
前記第２の無認可キャリアの前記ＣＣＡ検査が前記潜在的最終タイムスロット中にクリアであるかどうかを決定するための手段と
をさらに備える、Ｃ２３に記載の装置。
［Ｃ２５］
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信するための手段をさらに備える、
Ｃ２４に記載の装置。
［Ｃ２６］
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入るための手段と、
前記第１の無認可キャリアの前記ＥＣＣＡカウントダウンがクリアになるとき、前記第１の無認可キャリアまたは前記第２の無認可キャリアのうちの１つまたは複数上で前記データを送信するための手段と
をさらに備える、Ｃ２４に記載の装置。
［Ｃ２７］
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであるための手段と、
前記第２の無認可キャリアの前記ＣＣＡ検査がクリアになるとき、前記第１の無認可キャリアまたは前記第２の無認可キャリアのうちの１つまたは複数上で前記データを送信するための手段と
をさらに備える、Ｃ２４に記載の装置。
［Ｃ２８］
前記少なくとも２つの無認可キャリアのうちの１つまたは複数を介して前記データを送信するためのスケジュールを、基地局から受信するための手段をさらに備える、
Ｃ２３に記載の装置。
［Ｃ２９］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ２８に記載の装置。
［Ｃ３０］
前記スケジュールは、物理アップリンク制御チャネル（ＰＵＣＣＨ）を送信することに関係する情報を備える、
Ｃ２８に記載の装置。
［Ｃ３１］
少なくとも２つの無認可キャリアを介した送信のためのデータを受信するための手段、前記少なくとも２つの無認可キャリアが第１の無認可キャリアと第２の無認可キャリアとを含む、と、
前記少なくとも２つの無認可キャリアの各々に対して拡張クリアチャネルアセスメント（ＥＣＣＡ）カウントダウンを実行するための手段と、
前記第２の無認可キャリアに対する前記ＥＣＣＡカウントダウンの１つまたは複数の潜在的最終タイムスロットから潜在的最終タイムスロットを決定するための手段と、
前記潜在的最終タイムスロット中に前記第１の無認可キャリアに対してクリアチャネルアセスメント（ＣＣＡ）検査を実行するための手段と
を備える、ワイヤレス通信のための装置。
［Ｃ３２］
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるための手段をさらに備える、
Ｃ３１に記載の装置。
［Ｃ３３］
前記第１の無認可キャリアに対する前記ＣＣＡ検査が前記潜在的最終タイムスロット中にクリアであるかどうかを決定するための手段と、
前記第２の無認可キャリアに対する前記ＥＣＣＡカウントダウンが前記潜在的最終タイムスロット中にクリアであるかどうかを決定するための手段と
をさらに備える、Ｃ３１に記載の装置。
［Ｃ３４］
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することをさらに備える、
Ｃ３３に記載の装置。
［Ｃ３５］
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入るための手段と、
前記ＣＣＡ検査が前記第１の無認可キャリアをクリアするとき、前記第１の無認可キャリアまたは前記第２の無認可キャリアのうちの１つまたは複数上で前記データを送信するための手段と
をさらに備える、Ｃ３３に記載の装置。
［Ｃ３６］
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであるための手段と、
前記第２の無認可キャリアに対する前記ＥＣＣＡカウントダウンがクリアになるとき、前記第１の無認可キャリアまたは前記第２の無認可キャリアのうちの１つまたは複数上で前記データを送信するための手段と
をさらに備える、Ｃ３３に記載の装置。
［Ｃ３７］
前記ＣＣＡ検査を前記実行するための手段は、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定するための手段と、
タイムスロットの前記潜在的な数がしきい値よりも大きいとき、前記第１の無認可キャリアに対して前記ＣＣＡ検査を実行するための手段と
を備える、Ｃ３１に記載の装置。
［Ｃ３８］
前記ＣＣＡ検査を前記実行するための手段は、
前記第１の無認可キャリアの前記ＥＣＣＡカウントダウンを実行するための第１の潜在的カウントダウン値を決定するための手段と、
前記第１の無認可キャリアの前記ＥＣＣＡカウントダウンの終了と前記第２の無認可キャリアの前記ＥＣＣＡカウントダウンの終了との間の第２の潜在的カウントダウン値を決定するための手段と、
デューティサイクルがしきい値よりも大きいときに前記第１の無認可キャリアに対して前記ＣＣＡ検査を実行するための手段、ここにおいて、前記デューティサイクルが、前記第２の潜在的カウントダウン値を前記第１の潜在的カウントダウン値と前記第２の潜在的カウントダウン値との和で割った値に等しい、と
を備える、Ｃ３１に記載の装置。
［Ｃ３９］
前記少なくとも２つの無認可キャリアのうちの１つまたは複数を介して送信するためのスケジュールを、基地局から受信するための手段をさらに備える、
Ｃ３１に記載の装置。
［Ｃ４０］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ３９に記載の装置。
［Ｃ４１］
前記スケジュールは、物理アップリンク制御チャネル（ＰＵＣＣＨ）を送信することに関係する情報を備える、
Ｃ３９に記載の装置。
［Ｃ４２］
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行するための手段と、
前記第２の無認可キャリアのしきい値タイムスロットを過ぎて前記第１の無認可キャリアに対する前記ＥＣＣＡカウントダウンの潜在的最終タイムスロットが生じるかどうかを決定するための手段と、
前記決定に基づいて前記第２の無認可キャリアに対してクリアチャネルアセスメント（ＣＣＡ）検査を実行すべきかどうかを決めるための手段と
を備える、ワイヤレス通信のための装置。
［Ｃ４３］
前記潜在的最終タイムスロット中に、前記第１の無認可キャリアに対してＣＣＡ検査を実行し、前記第２の無認可キャリアに対して前記ＣＣＡ検査を実行するための手段と、
前記第１の無認可キャリアの前記ＣＣＡ検査がクリアになる場合、前記第１の無認可キャリアまたは前記第２の無認可キャリアのうちの１つまたは複数上で前記データを送信するための手段と
をさらに備える、Ｃ４２に記載の装置。
［Ｃ４４］
少なくとも２つの無認可キャリアを介した送信のためのデータを受信するための手段、前記少なくとも２つの無認可キャリアが第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行するための手段と、
前記第１の無認可キャリアまたは前記第２の無認可キャリアのうちの１つまたは複数上で遅延状態に入るための手段と、
前記遅延状態の終了時に前記第１の無認可キャリアまたは前記第２の無認可キャリアのうちの前記１つまたは複数に対して初期クリアチャネルアセスメント（ＩＣＣＡ）を実行するための手段と、
前記ＩＣＣＡがクリアになる場合、前記第１の無認可キャリアまたは前記第２の無認可キャリアのうちの前記１つまたは複数上で前記データを送信するための手段と
を備える、ワイヤレス通信のための装置。
［Ｃ４５］
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を行うように構成された、ワイヤレス通信のための装置。
［Ｃ４６］
前記少なくとも１つのプロセッサは、
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うようにさらに構成された、Ｃ４５に記載の装置。
［Ｃ４７］
前記少なくとも１つのプロセッサは、
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
Ｃ４６に記載の装置。
［Ｃ４８］
前記少なくとも１つのプロセッサは、
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うようにさらに構成された、Ｃ４６に記載の装置。
［Ｃ４９］
前記少なくとも１つのプロセッサは、
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うようにさらに構成された、Ｃ４６に記載の装置。
［Ｃ５０］
前記少なくとも１つのプロセッサは、前記少なくとも２つの無認可キャリアのうちの１つまたは複数を介して前記データを送信するためのスケジュールを、基地局から受信するようにさらに構成された、
Ｃ４５に記載の装置。
［Ｃ５１］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ５０に記載の装置。
［Ｃ５２］
前記スケジュールは、物理アップリンク制御チャネル（ＰＵＣＣＨ）を送信することに関係する情報を備える、
Ｃ５０に記載の装置。
［Ｃ５３］
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を行うように構成された、ワイヤレス通信のための装置。
［Ｃ５４］
前記少なくとも１つのプロセッサは、前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるようにさらに構成された、
Ｃ５３に記載の装置。
［Ｃ５５］
前記少なくとも１つのプロセッサは、
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うようにさらに構成された、Ｃ５４に記載の装置。
［Ｃ５６］
前記少なくとも１つのプロセッサは、
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うようにさらに構成された、
Ｃ５５に記載の装置。
［Ｃ５７］
前記少なくとも１つのプロセッサは、
前記ＣＣＡ検査がクリアになるまで、前記第２の無認可キャリア上でフリーズ状態に入ることと、
前記第１の無認可キャリアの前記ＣＣＡ検査が前記潜在的最終タイムスロット中にクリアでないとき、前記ＣＣＡ検査が前記第１の無認可キャリアをクリアするとき、前記第１の無認可キャリアまたは前記第２の無認可キャリアのうちの１つまたは複数上で前記データを送信することと
を行うようにさらに構成された、Ｃ５５に記載の装置。
［Ｃ５８］
前記少なくとも１つのプロセッサは、
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うようにさらに構成された、Ｃ５５に記載の装置。
［Ｃ５９］
前記少なくとも１つのプロセッサは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
によって前記ＣＣＡ検査を実行するようにさらに構成された、Ｃ５３に記載の装置。
［Ｃ６０］
前記少なくとも１つのプロセッサは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルが、前記第２の潜在的カウントダウン値を前記第１の潜在的カウントダウン値と前記第２の潜在的カウントダウン値との和で割った値に等しい、と
によって前記ＣＣＡ検査を実行するようにさらに構成された、Ｃ５３に記載の装置。
［Ｃ６１］
前記少なくとも１つのプロセッサは、前記少なくとも２つの無認可キャリアのうちの１つまたは複数を介して送信するためのスケジュールを、基地局から受信するようにさらに構成された、
Ｃ５３に記載の装置。
［Ｃ６２］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ６１に記載の装置。
［Ｃ６３］
前記スケジュールは、物理アップリンク制御チャネル（ＰＵＣＣＨ）を送信することに関係する情報を備える、
Ｃ６１に記載の装置。
［Ｃ６４］
メモリと、
前記メモリに結合された少なくとも１つのプロセッサと
を備え、前記少なくとも１つのプロセッサは、
少なくとも２つの無認可キャリアを介した送信のためのデータを受信すること、前記少なくとも２つの無認可キャリアが第１の無認可キャリアと第２の無認可キャリアとを含む、と、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うように構成された、ワイヤレス通信のための装置。
［Ｃ６５］
前記少なくとも１つのプロセッサは、
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うようにさらに構成された、Ｃ６４に記載の装置。
［Ｃ６６］
メモリと、
前記メモリに結合された少なくとも１つのプロセッサと
を備え、前記少なくとも１つのプロセッサは、
少なくとも２つの無認可キャリアを介した送信のためのデータを受信することと、前記少なくとも２つの無認可キャリアが第１の無認可キャリアと第２の無認可キャリアとを含む、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うように構成された、ワイヤレス通信のための装置。
［Ｃ６７］
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアに対して拡張クリアチャネルアセスメント（ＥＣＣＡ）カウントダウンを実行することと、
前記第１の無認可キャリアに対する前記ＥＣＣＡカウントダウンの１つまたは複数の潜在的最終タイムスロットから潜在的最終タイムスロットを決定することと、
前記潜在的最終タイムスロット中に前記第２の無認可キャリアに対してクリアチャネルアセスメント（ＣＣＡ）検査を実行することと
を行うためのコードを備える、コンピュータ可読媒体。
［Ｃ６８］
前記第１の無認可キャリアの前記ＥＣＣＡカウントダウンが前記潜在的最終タイムスロット中にクリアであるかどうかを決定することと、
前記第２の無認可キャリアの前記ＣＣＡ検査が前記潜在的最終タイムスロット中にクリアであるかどうかを決定することと
を行うためのコードをさらに備える、Ｃ６７に記載のコンピュータ可読媒体。
［Ｃ６９］
前記第１の無認可キャリアの前記ＥＣＣＡカウントダウンが前記潜在的最終タイムスロット中にクリアであること、または前記第２の無認可キャリアの前記ＣＣＡ検査が前記潜在的最終タイムスロット中にクリアであることのうちの１つまたは複数であるとき、前記第１の無認可キャリアまたは前記第２の無認可キャリアのうちの１つまたは複数上で前記データを送信すること
を行うためのコードをさらに備える、Ｃ６８に記載のコンピュータ可読媒体。
［Ｃ７０］
前記第１の無認可キャリアの前記ＥＣＣＡカウントダウンが前記潜在的最終タイムスロット中にクリアでないとき、前記第１の無認可キャリアの前記ＥＣＣＡカウントダウンがクリアになるまで、前記第２の無認可キャリア上でフリーズ状態に入ることと、
前記第１の無認可キャリアの前記ＥＣＣＡカウントダウンがクリアになるとき、前記第１の無認可キャリアまたは前記第２の無認可キャリアのうちの１つまたは複数上で前記データを送信することと
を行うためのコードをさらに備える、Ｃ６８に記載のコンピュータ可読媒体。
［Ｃ７１］
前記第２の無認可キャリアの前記ＣＣＡ検査が前記潜在的最終タイムスロット中にクリアでないとき、前記第２の無認可キャリアの前記ＣＣＡ検査がクリアになるまで、前記潜在的最終タイムスロットの後の少なくとも１つの追加のタイムスロットの間、前記第１の無認可キャリア上でアイドルのままであることと、
前記第２の無認可キャリアの前記ＣＣＡ検査がクリアになるとき、前記第１の無認可キャリアまたは前記第２の無認可キャリアのうちの１つまたは複数上で前記データを送信することと
を行うためのコードをさらに備える、Ｃ６８に記載のコンピュータ可読媒体。
［Ｃ７２］
前記少なくとも２つの無認可キャリアのうちの１つまたは複数を介して前記データを送信するためのスケジュールを、基地局から受信するためのコードをさらに備える、
Ｃ６７に記載のコンピュータ可読媒体。
［Ｃ７３］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記データを前記基地局に送信するための無認可キャリアの間の優先度
のうちの少なくとも１つを示す、Ｃ７２に記載のコンピュータ可読媒体。
［Ｃ７４］
前記スケジュールは、物理アップリンク制御チャネル（ＰＵＣＣＨ）を送信することに関係する情報を備える、
Ｃ７２に記載のコンピュータ可読媒体。
［Ｃ７５］
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記少なくとも２つの無認可キャリアの各々に対して拡張クリアチャネルアセスメント（ＥＣＣＡ）カウントダウンを実行することと、
前記第２の無認可キャリアに対する前記ＥＣＣＡカウントダウンの１つまたは複数の潜在的最終タイムスロットから潜在的最終タイムスロットを決定することと、
前記潜在的最終タイムスロット中に前記第１の無認可キャリアに対してクリアチャネルアセスメント（ＣＣＡ）検査を実行することと
を行うためのコードを備える、コンピュータ可読媒体。
［Ｃ７６］
前記第２の無認可キャリアに対する前記ＥＣＣＡカウントダウンの前記潜在的最終タイムスロットが到達されるまで、前記第１の無認可キャリアの前記ＥＣＣＡカウントダウンの後の少なくとも１つのタイムスロット中に、前記第１の無認可キャリア上でアイドルのままであるためのコードをさらに備える、
Ｃ７５に記載のコンピュータ可読媒体。
［Ｃ７７］
前記第１の無認可キャリアに対する前記ＣＣＡ検査が前記潜在的最終タイムスロット中にクリアであるかどうかを決定することと、
前記第２の無認可キャリアに対する前記ＥＣＣＡカウントダウンが前記潜在的最終タイムスロット中にクリアであるかどうかを決定することと
を行うためのコードをさらに備える、Ｃ７６に記載のコンピュータ可読媒体。
［Ｃ７８］
前記第１の無認可キャリアの前記ＣＣＡ検査が前記潜在的最終タイムスロット中にクリアであること、または前記第２の無認可キャリアの前記ＥＣＣＡカウントダウンが前記潜在的最終タイムスロット中にクリアであることのうちの１つまたは複数であるとき、前記第１の無認可キャリアまたは前記第２の無認可キャリアのうちの１つまたは複数上で前記データを送信することを行うためのコードをさらに備える、
Ｃ７７に記載のコンピュータ可読媒体。
［Ｃ７９］
前記第１の無認可キャリアの前記ＣＣＡ検査が前記潜在的最終タイムスロット中にクリアでないとき、前記ＣＣＡ検査がクリアになるまで、前記第２の無認可キャリア上でフリーズ状態に入ることと、
前記ＣＣＡ検査が前記第１の無認可キャリアをクリアするとき、前記第１の無認可キャリアまたは前記第２の無認可キャリアのうちの１つまたは複数上で前記データを送信することと
を行うためのコードをさらに備える、Ｃ７７に記載のコンピュータ可読媒体。
［Ｃ８０］
前記第２の無認可キャリアの前記ＥＣＣＡカウントダウンが前記潜在的最終タイムスロット中にクリアでないとき、前記第２の無認可キャリアの前記ＥＣＣＡカウントダウンがクリアになるまで、前記潜在的最終タイムスロットの後の少なくとも１つの追加のタイムスロットの間、前記第１の無認可キャリア上でアイドルのままであることと、
前記第２の無認可キャリアに対する前記ＥＣＣＡカウントダウンがクリアになるとき、前記第１の無認可キャリアまたは前記第２の無認可キャリアのうちの１つまたは複数上で前記データを送信することと
を行うためのコードをさらに備える、Ｃ７７に記載のコンピュータ可読媒体。
［Ｃ８１］
前記ＣＣＡ検査を実行するための前記コードは、
前記第１の無認可キャリアの前記ＥＣＣＡカウントダウンの終了と前記第２の無認可キャリアの前記ＥＣＣＡカウントダウンが終了する前記潜在的最終タイムスロットとの間のタイムスロットの潜在的な数を決定することと、
タイムスロットの前記潜在的な数がしきい値よりも大きいとき、前記第１の無認可キャリアに対して前記ＣＣＡ検査を実行することと
を行うためのコードをさらに備える、Ｃ７５に記載のコンピュータ可読媒体。
［Ｃ８２］
前記ＣＣＡ検査を実行するための前記コードは、
前記第１の無認可キャリアの前記ＥＣＣＡカウントダウンを実行するための第１の潜在的カウントダウン値を決定することと、
前記第１の無認可キャリアの前記ＥＣＣＡカウントダウンの終了と前記第２の無認可キャリアの前記ＥＣＣＡカウントダウンの終了との間の第２の潜在的カウントダウン値を決定することと、
デューティサイクルがしきい値よりも大きいときに前記第１の無認可キャリアに対して前記ＣＣＡ検査を実行すること、ここにおいて、前記デューティサイクルが、前記第２の潜在的カウントダウン値を前記第１の潜在的カウントダウン値と前記第２の潜在的カウントダウン値との和で割った値に等しい、と
を行うためのコードをさらに備える、Ｃ７５に記載のコンピュータ可読媒体。
［Ｃ８３］
前記少なくとも２つの無認可キャリアのうちの１つまたは複数を介して送信するためのスケジュールを、基地局から受信するためのコードをさらに備える、
Ｃ７５に記載のコンピュータ可読媒体。
［Ｃ８４］
前記スケジュールは、
前記第１の無認可キャリア上でアイドルのままであるためのタイムスロットの最大数、
前記第１の無認可キャリアまたは前記第２の無認可キャリアのうちの少なくとも１つ上のリソース許可の有効性、または
前記基地局への送信のための無認可キャリアの間の優先度
のうちの少なくとも１つを示す、Ｃ８３に記載のコンピュータ可読媒体。
［Ｃ８５］
前記スケジュールは、物理アップリンク制御チャネル（ＰＵＣＣＨ）を送信することに関係する情報を備える、
Ｃ８３に記載のコンピュータ可読媒体。
［Ｃ８６］
ワイヤレス通信のためのコンピュータ実行可能コードを記憶するコンピュータ可読媒体であって、
少なくとも２つの無認可キャリアを介した送信のためのデータを受信することと、前記少なくとも２つの無認可キャリアが第１の無認可キャリアと第２の無認可キャリアとを含む、
前記第１の無認可キャリアに対して拡張クリアチャネルアセスメント（ＥＣＣＡ）カウントダウンを実行することと、
前記第２の無認可キャリアのしきい値タイムスロットを過ぎて前記第１の無認可キャリアに対する前記ＥＣＣＡカウントダウンの潜在的最終タイムスロットが生じるかどうかを決定することと、
前記決定に基づいて前記第２の無認可キャリアに対してクリアチャネルアセスメント（ＣＣＡ）検査を実行すべきかどうかを決めることと
を行うためのコードを備える、コンピュータ可読媒体。
［Ｃ８７］
前記潜在的最終タイムスロット中に、前記第１の無認可キャリアに対してＣＣＡ検査を実行し、前記第２の無認可キャリアに対して前記ＣＣＡ検査を実行することと、
前記第１の無認可キャリアの前記ＣＣＡ検査がクリアになる場合、前記第１の無認可キャリアまたは前記第２の無認可キャリアのうちの１つまたは複数上で前記データを送信することと
を行うためのコードをさらに備える、Ｃ８６に記載のコンピュータ可読媒体。
［Ｃ８８］
ワイヤレス通信のためのコンピュータ実行可能コードを記憶するコンピュータ可読媒体であって、
少なくとも２つの無認可キャリアを介した送信のためのデータを受信すること、前記少なくとも２つの無認可キャリアは、第１の無認可キャリアと第２の無認可キャリアとを含む、と、
前記第１の無認可キャリアと前記第２の無認可キャリアとに対して拡張クリアチャネルアセスメント（ＥＣＣＡ）カウントダウンを実行することと、
前記第１の無認可キャリアまたは前記第２の無認可キャリアのうちの１つまたは複数上で遅延状態に入ることと、
前記遅延状態の終了時に前記第１の無認可キャリアまたは前記第２の無認可キャリアのうちの前記１つまたは複数に対して初期クリアチャネルアセスメント（ＩＣＣＡ）を実行することと、
前記ＩＣＣＡがクリアになる場合、前記第１の無認可キャリアまたは前記第２の無認可キャリアのうちの前記１つまたは複数上で前記データを送信することと
を行うためのコードを備える、コンピュータ可読媒体。